(57)【要約】  【課題】  払い出された有価物体が盗難にあう危険性を低減できる遊技機を提供すること。  【解決手段】  化粧パネル１１０は、前面扉３に対して可動可能に形成されており、前面扉３に対して開放された化粧パネル１１０は、メダル受け皿３３の上面に当接しこれを閉塞する。ここで、施錠具３０１をメダル受け皿３３の側へ押下すれば、施錠具３０１の第２係合部３０１ａと第１係合部３１０ａとが係合して、施錠具３０１の反挿入方向への移動が禁止される。故に、化粧パネル１１０がメダル受け皿３３に係止され、載置状態にて施錠される。その結果、遊技者がスロットマシン１０から離れた場合におけるメダルの盗難を防止でき、遊技者はメダル受け皿３３にメダルを貯留したままであっても、安心してスロットマシン１０から離れることができる。  【選択図】    図５
2005237414.tif 000002
【特許請求の範囲】
【請求項１】
有価物品の投入に起因して実行される遊技の制御を行う制御手段を有する本体と、その制御手段から送信されるコマンドに基づいて前記有価物体を払い出す払出実行手段と、前記払出実行手段にて払い出された前記有価物体を貯留するものであって前記本体の前面側において外方へ向かって凸設されると共に立設された壁部と開放された上面とを有し凹状に形成された貯留皿とを備えた遊技機において、
前記貯留皿の上面を覆い隠す閉鎖状態と該上面を開放した開放状態とを形成する開閉自在の遮蔽部材と、
その遮蔽部材を前記閉鎖状態を形成する閉鎖位置に保持する保持部材とを備えていることを特徴とする遊技機。
【発明の詳細な説明】
【技術分野】
【０００１】
本発明は、スロットマシンなどの遊技機に関するものである。
【背景技術】
【０００２】
メダルを投入することによって遊技を行うことのできるスロットマシンには、払い出されたメダルを貯留する貯留皿が備えられている。遊技状態がいわゆる大当たり状態となると、多量のメダルがこの貯留皿に払い出される。この貯留皿が満杯になると、貯留皿に貯留されたメダルは、遊技者などによって、一般に「ドル箱」と称される貯留容器に移し替えられる。
【０００３】
一方で、遊技者は、食事や休憩のために、一時的に遊技を中断してスロットマシンを離れる。かかる場合に、遊技者は、遊技を一時的に中断している旨を示す表示などをしてスロットマシンを離れ、自己の用事を済ませた後、そのスロットマシンに戻って遊技を再開する。遊技者が一時的にスロットマシンを離れた場合、貯留容器に貯留されたメダルについては、遊技場側が本人確認の元に袋をかぶせるなどの封印を行い、他人が容易に持ち去ることができないように処置している。そして、遊技者は、遊技を終了した後に、自己の得たメダルを遊技場側に提出し、メダル数に見合った景品と交換する（特許文献１参照）。  
【特許文献１】特開２００１−２３１９１４号公報
【発明の開示】
【発明が解決しようとする課題】
【０００４】
しかしながら、遊技者は、貯留皿にメダルを残したまま、スロットマシンを離れることも多い。貯留皿から貯留容器にメダルを移してしまうと、休憩終了後に、貯留容器から貯留皿へとメダルを再導入する必要が生じ、短時間の休憩のために、かかる操作を行うことが煩雑であるからである。このため、貯留皿に貯留されたメダルが、不正者によって持ち去られるという行為が横行するという問題点があった。
【０００５】
本発明は、上述した問題点を解決するためになされたものであり、払い出された有価物体が盗難にあう危険性を低減できる遊技機を提供することを目的としている。
【課題を解決するための手段】
【０００６】
この目的を達成するために、請求項１記載の遊技機は、有価物品の投入に起因して実行される遊技の制御を行う制御手段を有する本体と、その制御手段から送信されるコマンドに基づいて前記有価物体を払い出す払出実行手段と、前記払出実行手段にて払い出された前記有価物体を貯留するものであって前記本体の前面側において外方へ向かって凸設されると共に立設された壁部と開放された上面とを有し凹状に形成された貯留皿とを備えており、前記貯留皿の上面を覆い隠す閉鎖状態と該上面を開放した開放状態とを形成する開閉自在の遮蔽部材と、その遮蔽部材を前記閉鎖状態を形成する閉鎖位置に保持する保持部材とを備えている。
【０００７】
この請求項１記載の遊技機によれば、本体に設けられた制御手段により、有価物品の投入に起因して実行される遊技が制御される。そして、その制御手段から送信されるコマンドに基づいて、払出実行手段により有価物体が払い出される。払い出された有価物体は、貯留皿に貯留される。ここで、貯留皿は、本体の前面側において外方へ向かって凸設されると共に立設された壁部と開放された上面とを有し凹状に形成されている。かかる貯留皿の上面は、遮蔽部材により開閉自在に覆い隠されるようになっており、遮蔽部材が保持部材にて閉鎖位置に保持されると、貯留皿の上面を覆い隠す閉鎖状態が形成される。
【発明の効果】
【０００８】
請求項１記載の遊技機によれば、本体に設けられた制御手段により、有価物品の投入に起因して実行される遊技が制御される。そして、その制御手段から送信されるコマンドに基づいて、払出実行手段により有価物体が払い出される。払い出された有価物体は、貯留皿に貯留される。ここで、貯留皿は、本体の前面側において外方へ向かって凸設されると共に立設された壁部と開放された上面とを有し凹状に形成されている。かかる貯留皿の上面は、遮蔽部材により開閉自在に覆い隠されるようになっており、遮蔽部材が保持部材にて閉鎖位置に保持されると、貯留皿の上面を覆い隠す閉鎖状態が形成される。
【０００９】
よって、貯留皿内部の状態を隠すことができ、不正者による有価物体の盗難を抑制することができるという効果がある。つまり、遮蔽部材により閉鎖状態が形成されていると、貯留皿の内部が見えないので、不正者は、遮蔽部材を開放して有価物体の貯留量を確認せねばならない。また、遮蔽部材を開放するという動作を行わなくてはならない。故に、不正者にとっては自己の不正行為が発覚するリスクが増大することとなる。このため、貯留皿の上面を覆う遮蔽部材を設けることによって、かかる不正行為を軽減させることができる。
【発明を実施するための最良の形態】
【００１０】
以下、スロットマシン遊技機（以下、単に「スロットマシン」という）の一実施形態を、図面に基づいて詳細に説明する。図１は、スロットマシン１０の前面扉３が閉じた状態を示した斜視図であり、図２は、そのスロットマシン１０の前面扉３が開いた状態を示した斜視図である。図１及び図２を参照して、スロットマシン１０の全体構成について説明する。スロットマシン１０は、図１に示すように、本体２（本体基部）と前面扉３（本体開閉部）とから正面視略矩形状の箱状体に構成されている。本体２は、図２に示すように、スロットマシン１０の骨格をなす部材であり、回胴Ｌ，Ｍ，Ｒやホッパ４７等を収納するために、前面側が開放した中空状の箱状体に形成されている。
【００１１】
本体２の内部には、図２に示すように、各種の図柄等が表示され回転可能に構成された回胴Ｌ，Ｍ，Ｒと、スロットマシン１０の遊技を制御する制御装置４０、電源スイッチ４１とリセットスイッチ４２と設定キー挿入孔４３とを備える電源ボックス４４、メダルを貯留する補助タンク４５とこの補助タンク４５内のメダルを（制御装置４０からのコマンドに基づいて）払出用通路６１に通じる開口６２を介してメダル払出口３２へ払い出す払出装置４６とを備えるホッパ４７等が収納されている。
【００１２】
補助タンク４５の筐体の前面内側には、右下がりに傾斜する金属製の傾斜部材４５ｂが取着されている。傾斜部材４５ｂの長手方向の左端は、補助タンク４５の上面から所定距離下がった位置に配置されている。この傾斜部材４５ｂの幅（前面側から背面側へ向かう長さ）は、補助タンク４５の上面の奥行きの半分以下であり、且つ、メダルの直径よりも広く形成されている。
【００１３】
補助タンク４５の筐体の右側側面には、傾斜部材４５ｂの左端よりも低い位置に過剰メダル排出口４５ｃが穿設されている。上記の傾斜部材４５ｂの右端は、この過剰メダル排出口４５ｃに当接されている。
【００１４】
補助タンク４５に貯留されるメダルが多量になると、傾斜部材４５ｂより上方にもメダルが蓄積され、傾斜部材４５ｂの上面にも積載されることとなる。傾斜部材４５ｂに積載されたメダルは、傾斜部材４５ｂ上を滑動し、過剰メダル排出口４５ｃから放出されて下方に落下する。落下したメダルは、過剰メダル排出口４５ｃの右側下方の本体２の底面に蓄積される。
【００１５】
払出用通路６１の上方には、メダル投入口３０と連通するメダル識別装置６３から流入するメダルを、補助タンク４５に導入するガイド６４が備えられている。ここで、メダル識別装置６３は、使用できるメダルと否であるメダルとをメダル直径に応じて選別する周知の振分機構を有する一般的な装置である。メダル投入口３０から投入されたメダルが本スロットマシン１０に不適合のメダルであった場合には、このメダル識別装置６３にて選別され、メダル識別装置６３の底部の開口から、その下方に位置する払出用通路６１へ排出される。
【００１６】
一方、メダル投入口３２から投入されたメダルが本スロットマシン１０に適合するメダルであった場合には、このメダル識別装置６３にて選別されたメダルは、ガイド６４側へと排出される。このガイド６４は、前面扉３から奥方（本体２の背面側）にむかって延出されており、前面扉３が閉状態となると、補助タンク４５の上方にその先端部が位置するように構成されている。これにより、本スロットマシン１０に適合するメダルは、メダル識別装置６３とガイド６４とにより導かれて、補助タンク４５へと貯留される。
【００１７】
また、各回胴Ｌ，Ｍ，Ｒの内周部には、各回胴Ｌ，Ｍ，Ｒの裏面側から前面扉３側へ向けて発光して各回胴Ｌ，Ｍ，Ｒに表示される図柄をそれぞれライトアップする９つの回胴バックランプ７０が設けられている。
【００１８】
前面扉３は、上述した本体２の前面側開放部分に覆設される部材であり、図２に示すように、その前面扉３の裏面側辺部に取着されたヒンジ部材９０により本体２に開閉可能に連結されている。よって、前面扉３を閉じることにより本体２の前面側開放部分を閉封することができ、図１に示すように、本体２内に収納される回胴Ｌ，Ｍ，Ｒやホッパ４７等をその本体２と共に被包することができる。一方、前面扉３を開くことにより本体２の前面側を開放することができ、メダル詰まりの解消やバックランプ７０の交換作業など、スロットマシン１０の保守点検操作を行うことができる。なお、前面扉３には、図１に示すように、施錠装置９が配設されており、かかる施錠装置９により本体２と前面扉３とを図１に示す状態で施錠することができる。
【００１９】
前面扉３は前面枠４によりその外形が形成されており、前面枠４は、枠部材視認部４ａと枠部材操作部４ｂと枠部材貯留部４ｃとに３分割されて構成されている。前面扉３の上段部（前面枠４の枠部材視認部４ａ）には、図１に示すように、遊技の進行に伴って点灯・点滅する上部ランプ１１及びサイドランプ８０、遊技の進行に伴って種々の効果音等を発生するスピーカ１２，１２、各種の内容を表示する液晶ディスプレイ（以下「ＬＣＤ」と略す）１３、左回胴Ｌと中回胴Ｍと右回胴Ｒとをそれぞれ透視可能な露出窓１４Ｌ，１４Ｍ，１４Ｒ、メダルのベット数（賭け数）に応じて点灯する５つのベットランプ１５，１６，１６，１７，１７、クレジット数表示部１８、ゲーム数表示部１９、払出枚数表示部２０などが設けられている。
【００２０】
また、前面扉３の下段部（前面枠４の枠部材貯留部４ｃ）には、図１に示すように、メダル払出口３２から払い出されたメダルを受けて貯留するメダル受け皿３３、タバコの吸い殻等を入れる灰皿３４などが設けられている。
【００２１】
前面扉３の中段部（前面枠４の枠部材操作部４ｂ）には、図１に示すように、メダルを貯球するか否かを切り替えるクレジットボタン２１と、左中右の各回胴Ｌ，Ｍ，Ｒの停止を指示する左・中・右回胴用ストップボタン２２〜２４と、メダルの詰まりを解消するメダル詰まり解消ボタン２５と、貯球されたメダルから１枚のメダルを賭けるための１枚ベットボタン２６と、２枚のメダルを賭ける２枚ベットボタン２７と、最大である３枚のメダルを賭けるマックスベットボタン２８と、各回胴Ｌ，Ｍ，Ｒの回転を開始させるスタートレバー２９と、メダル投入口３０等とが設けられている。
【００２２】
また、前面扉３の中段部（前面枠４の枠部材操作部４ｂ）には、前面扉３を装飾する化粧パネル１１０が連設されている。化粧パネル１１０は、機種名や遊技に関わるキャラクタ等が表示された表示プレート３１と、該表示プレート３１の周縁に周設された枠体１００とを備えている。枠体１００の上方側の表面は、枠部材操作部４ｂと面一となるように形成されている。枠部材操作部４ｂの前面側は、前面側の周縁部から奥方に向かって凹となる矩形状に形成されており、化粧パネル１１０は、枠部材操作部４ｂの矩形状の内側に嵌め込まれている。
【００２３】
化粧パネル１１０の裏面には、表示プレート３１に所定の間隔をあけて対向する裏面プレート１１１が配設されており、この裏面プレート１１１は、枠体１００の裏面側の周縁よりも手前側（表示プレート３１側）となる位置において枠体１００に組み付けられている。このため、化粧パネル１１０の裏面側は、枠体１００の周縁と裏面プレート１１１との間に段差を有する矩形形状となっている。この裏面プレート１１１の詳細は、図３の説明において後述する。
【００２４】
化粧パネル１１０は、裏面プレート１１１が前面扉３に対向する閉状態において前面扉３を被覆する。詳細には、枠部材操作部４ｂの矩形状の基底部分４ｂ１は平面に形成されており、かかる基底部分４ｂ１が、化粧パネル１１０にて被覆される被覆領域となる（図３参照）。この閉状態では、表示プレート３１が前面側（遊技者側）に配置されて、表示プレート３１に表示された機種名や遊技に関わるキャラクタ等（目視にて視認することのできる視覚情報）が遊技者によって視認し得る状態となる。
【００２５】
この化粧パネル１１０の外形寸法は、枠部材操作部４ｂの基底部分４ｂ１を被覆する大きさに規定されており、その幅方向（長辺方向）においては、スロットマシン１０の幅と略同寸となる略４７０ｍｍで形成され、幅方向に直交する短辺方向は、略２２０ｍｍに形成されている。
【００２６】
一方で、化粧パネル１１０は、前面扉３（前面枠４の枠部材操作部４ｂ）に対し揺動可能に取着されている。化粧パネル１１０は、枠体１００の裏面側下側端部において左右２カ所にそれぞれ配置され前面扉３（前面枠４の枠部材操作部４ｂ）に固定された２つのヒンジ部材１０１，１０２に軸支されている。化粧パネル１１０は、該ヒンジ部材１０１，１０２にて前面扉３（前面枠４の枠部材操作部４ｂ）に対して揺動（回動）可能に取着されており、該ヒンジ部材１０１，１０２を支点（スロットマシン１０の正面からみて左右に延びる開閉軸線を軸心）として、前方側へ開放できるようになっている。尚、化粧パネル１１０（表示プレート３１，裏面プレート１１１，枠体１００）の「上側」および「下側」とは、化粧パネル１１０が閉状態にある場合における上側および下側をそれぞれ示すものとする。
【００２７】
更に、化粧パネル１１０の裏面プレート１１１の左右両端部には、ヒンジ部材１０１，１０２を支点として前面扉３に対して開放された化粧パネル１１０を前面扉３に対して９０°の開放状態に支持するための支持金具１０５（１０５ａ，１０５ｂ）の一端が、それぞれ取着されている。
【００２８】
裏面プレート１１１に一端が取着された支持金具１０５は、その他端が化粧パネル１１０にて被覆される前面扉３の所定位置（基底部分４ｂ１の上方側）に取着されている。かかる支持金具１０５の両端部は、その幅方向を軸心として、裏面プレート１１１または基底部分４ｂ１にそれぞれ回動可能に取着されている。この支持金具１０５は、例えばステンレス鋼や炭素鋼などを素材とする２の金属部材を連結して形成されている。金属部材において裏面プレート１１１または前面扉３への取着側とは反対側の端部には、他方の金属部材と互いに連結するための連結口１０５ｃが設けられている。２の金属部材のそれぞれの連結口１０５ｃは同軸上に配置され、１の連結ピンが挿嵌されている。この連結ピンの挿嵌された連結口１０５ｃを支点として２の金属部材は可動可能に連結されており、支持金具１０５は連結口１０５ｃを中心に屈伸される折り畳み構造となっている。
【００２９】
上記のように、枠部材操作部４ｂの前面側は奥方に向かって凹となる矩形状に形成され、また、化粧パネル１１０の裏面側についても矩形形状となっている。故に、化粧パネル１１０を閉状態とした場合には、枠部材操作部４ｂの基底部分４ｂ１と裏面プレート１１１との対向面には、間隙が形成されることとなり、かかる閉状態において、支持金具１０５は、折り畳まれた状態でかかる間隙（裏面プレート１１１と基底部分４ｂ１との間）に収容される。
【００３０】
枠体１００の上方には、揺動可能に形成された化粧パネル１１０を、表示プレート３１を前面に配置した状態（裏面プレート１１１が前面扉３に対向する閉状態）でロックするロック部材１０６が設けられている。ロック部材１０６は、枠体１００に凸設された枠体１００上を摺動する操作レバー１０６ａを備えており、操作レバー１０６ａの長手方向の中心部には、裏面プレート１１１の方向に延出された円柱状の軸１０６ｂの端部が固着されている。軸１０６ｂは、化粧パネル１１０に内包されており、枠体１００の上側側面に設けられた非図示の固定部材にて、軸１０６ｂの長手方向を軸心として回転可能に固定されている（図３、図４参照）。
【００３１】
軸１０６の後端（操作レバー１０６ａと反対側の端部）には、軸心に直交する方向に沿って延出された掛止部材１０６ｃが固設されている。掛止部材１０６ｃは、その延出方向が、操作レバー１０６ａの長手方向と直交するように配設されており、また、その延出先端側においてＵ字型に屈曲されている。軸心に直交する方向に延出された掛止部材１０６ｃは、軸１０６ｂよりも大きな回転半径を有する。このため、化粧パネル１１０の枠体１００の上側側面には、回転する掛止部材１０６ｃが貫入される２の貫通口１０９（１０９ａ、１０９ｂ）が、掛止部材１０６ｃの回転軌道上に貫通形成されて並設されている（図３、図４参照）。
【００３２】
また、図示を省略しているが、前面扉３（前面枠４の枠部材操作部４ｂ）には、化粧パネル１１０を閉状態とした場合に、枠体１００の上側側面に対向する部分であって掛止部材１０６ｃの回転軌道に対応する位置には、軸１０６ｂから上側に起立した状態の掛止部材１０６ｃを収容するための溝が、前面扉３の上方に向かって凹設されている。かかる溝の幅（スロットマシン１０の前面側から奥方へ向かう方向に沿った長さ）は、収容する掛止部材１０６ｃの厚みより僅かに（例えば略１ｍｍなど）広幅に形成されている。
【００３３】
更に、化粧パネル１１０は、裏面プレート１１１と表示プレート３１との隙間に２本の蛍光灯１０３（１０３ａ，１０３ｂ）を内包している。該蛍光灯１０３は、蛍光灯１０３の長手方向の両端部に取着された治具１０４（１０４ａ，１０４ｂ）にて、表示プレート３１の裏側に固定されている。各蛍光灯１０３ａ，１０３ｂの左方の端部には、電流を供給するケーブル１０８がそれぞれ接続されている。かかるケーブル１０８により各蛍光灯１０３ａ，１０３ｂに設けられた電極に電流が供給され、蛍光灯１０３ａ，１０３ｂは発光する。
【００３４】
表示プレート３１は、光透過性を有する樹脂材料、例えば、ポリオレフィン系樹脂、ポリエステル系樹脂、アクリル系樹脂、ビニール系樹脂、ポリカーボネイト系樹脂、ポリスチレン系樹脂や、ポリアミド系樹脂、ポリイミド系樹脂、ＡＢＳ樹脂などを用いて形成されている。光透過性が小さい材料が用いられる場合には、透光性を増加させるために微少な貫通口が形成される。この表示プレート３１の前面には、上記したように、機種名や遊技に関わるキャラクタ等（視覚情報）が表示されている。
【００３５】
この表示プレート３１に表示される視覚情報は、この表示プレート３１を透過する蛍光灯１０３（１０３ａ，１０３ｂ）からの光にて照らし出される。視覚情報の内容を読取る（遊技者に視認させる）場合にはある程度の光量が必要となるが、遊技場では、演出効果を高めるために、往々にして場内の照明を暗くしている。かかる場合には、遊技場内の照明設備によっては、視覚情報の視認性が低下してしまう。そこで、スロットマシン１０に蛍光灯１０３を設け、かかる蛍光灯１０３からの光を表示プレート３１に照射することにより、表示プレート３１の視覚情報の視認性を向上させているのである。
【００３６】
また、化粧パネル１１０（枠体１００）の正面視右側およびメダル受け皿３３の正面視右側壁部には、化粧パネル１１０を載置状態にてメダル受け皿３３に対し施錠するべく、締結部１００ａ、施錠装置３１０がそれぞれ設けられている。
【００３７】
図３は、上面側となる裏面プレート１１１上へ物品を載置できる載置状態にある化粧パネル１１０を示したスロットマシン１０の部分拡大図である。化粧パネル１１０は、裏面プレート１１１が上面側に配置され、下面側即ち裏面プレート１１１の反対側に表示プレート３１が配置され、支持金具１０５によって前面扉３に対し９０°に保持されている。
【００３８】
裏面プレート１１１の左方には、プレート表面から下方に向かって凹設された飲料受皿１１２とタバコ受皿１１３とが設けられている。飲料受皿１１２は、ジュース缶やビール缶、或いはコップなど、飲料が収容された飲料容器を保持することを目的に設けられた凹部である。飲料容器は、一般に底面が円形に形成されたものが多いので、飲料受皿１１２の底面は円形形状に形成されている。また、その内径は、一般的な３５０ｍｌ缶の飲料容器を収容できるように７０ｍｍとなっている。かかる飲料受皿１１２に飲料容器を設置することにより、飲料容器の移動を規制することができ、化粧パネル１１０（裏面プレート１１１上）に安定に飲料容器を載置することができる。
【００３９】
また、タバコ受皿１１３は、タバコ（タバコケース）を保持することを目的に設けられた凹部である。タバコ受皿１１３は、一般的なタバコケースを収容し得るように、上面視長方形形状に形成されており、その内寸は、縦１２０ｍｍ、横８０ｍｍとなっている。かかるタバコ受皿１１３にタバコケースを設置することにより、その移動を規制することができ、化粧パネル１１０（裏面プレート１１１上）に安定にタバコケースを載置することができる。
【００４０】
飲料受皿１１２およびタバコ受皿１１３の右方のスペースは、平面状に形成されており、メダルを貯留するための貯留容器（一般的に「ドル箱」と称されるもの）を載置できる広さが確保されている。スロットマシン１０から払い出されたメダルがメダル受け皿３３に満杯になると、遊技者は、メダル受け皿３３から貯留容器にメダルを移し替える。本実施の形態においては、この貯留容器を化粧パネル１１０に載置した状態で、遊技者は遊技を実行することができる。
【００４１】
このため、遊技場側は、貯留容器を載置するための棚を島設備としてスロットマシン１０の上方に設ける必要がなく、島設備のコストを低減できる。更に、遊技者は、貯留容器に貯留されるメダルを使用して遊技を行う場合に、いちいちスロットマシン１０の上方に設けられる棚から貯留容器を上げ下ろすという不安定な動作を行う必要がない。つまり、棚から貯留容器を下ろすという遊技者に負担のかかる不安定な動作を不要として遊技者への負担を軽減できる上、貯留容器を落としたり、貯留される有価物体をこぼしてしまうといった事態の発生を回避できる。更に、遊技者は、化粧パネル１１０上に載置した貯留容器からメダルを取り出して遊技を行うことができるので、効率的に貯留容器からスロットマシン１０へメダルを供給（投入）でき、使い勝手がよい。
【００４２】
従来においては、かかる棚から貯留容器をおろす動作や貯留容器から貯留皿へメダルを戻す煩雑さを嫌う遊技者は、自身の膝に貯留容器を置き、その貯留容器から直接スロットマシンの投入口へメダルを投入して遊技を継続していた。しかし、本実施の形態においては、化粧パネル１１０上に貯留容器を載置して遊技を実行できるので、膝の上に貯留容器を載置するといった不安定な状態で遊技を行わずとも、効率的にメダルをスロットマシン１０に供給（投入）できる。また、貯留容器の重量により遊技者の体に負荷がかかることはない。更に、貯留容器を膝の上に置いて遊技を実行する場合に比べ、安定に貯留容器を保持することができるので、遊技者は貯留容器の安定性を気にしつつ遊技を行う必要がなく、遊技に集中することができる。
【００４３】
更に、裏面プレート１１１および、前面扉３において化粧パネル１１０により被覆される被覆領域（基底部分４ｂ１）には、図形や文字などの視覚情報が表示されている。図３において、かかる視覚情報は、「×」の記号にて表示している。ここで、裏面プレート１１１は、光透過性を有する樹脂材料、例えば、ポリオレフィン系樹脂、ポリエステル系樹脂、アクリル系樹脂、ビニール系樹脂、ポリカーボネイト系樹脂、ポリスチレン系樹脂や、ポリアミド系樹脂、ポリイミド系樹脂、ＡＢＳ樹脂などを用いて形成されている。光透過性が小さい材料が用いられる場合には、透光性を増加させるために微少な貫通口が裏面プレート１１１には形成される。蛍光灯１０３（１０３ａ，１０３ｂ）からの光はこの裏面プレート１１１を透過する。故に、遊技者は、裏面プレート１１１に表示された視覚情報および前面扉３の上記の被覆領域に表示された視覚情報を、かかる蛍光灯１０３からの照射光にて視認できる。
【００４４】
尚、裏面プレート１１１および上記の表示プレート３１は、樹脂単体で形成されていても良く、強度を向上させるための各種フィラーを添加した樹脂にて形成されたものであっても良い。また、部分的に異なる材料を用いて裏面プレート１１１を形成しても良い。
【００４５】
スロットマシン１０には、機種や遊技内容に関する情報など様々な情報が表示されているが、遊技場が、演出効果の向上を図るべく、スロットマシン周辺の場内照明を暗くしている場合、かかる情報が読取り不能となってしまうことも多い。蛍光灯１０３には、化粧パネル１１０内に内包されるコンパクトな大きさのものであって、裏面プレート１１１及び上記の被覆領域（更には表示プレート３１）に表示される視覚情報の読取りに十分な明るさを提供でき、且つ、場内全体の明るさに大きな影響を与えない光度のものが用いられている。
【００４６】
従来のスロットマシン１０においては、表示プレート３１以外には、僅かなスペースしか視覚情報を表示するためのスペースが確保できなかったが、本実施の形態のスロットマシン１０においては、裏面プレート１１１および被覆領域に視覚情報を表示するスペースを確保することができる。このため、視覚情報の表示スペースを従来よりも拡大でき、多くの視覚情報を表示することができる。
【００４７】
また、化粧パネル１１０が載置状態となった場合、表示プレート３１に表示されたキャラクタなどは正面視において視認不能となるが、裏面プレート１１１および被覆領域に表示された視覚情報を遊技者の視界に露出させることができ、スロットマシン１０の装飾性が低下することを抑制することができる。
【００４８】
化粧パネル１１０の枠体１００の右側端部に設けられた締結部１００ａは、表示プレート３１から裏面プレート１１１の方向に連設された２の室を備えており、載置状態（化粧パネル１１０が載置状態にセットされた場合）において上側となる第１室１００ｂは、枠体１００の側面から内側へ向かって凹設されて形成されたものであり、一部が外方に開放されている。載置状態において下側となる第２室１００ｃは、画設板１００ｄにて第１室１００ｂと画設され、また、画設板１００ｄと反対側の底面には開口が形成されている。画設板１００ｄには、施錠具３０１が軸方向にスライド可能に貫入されている。施錠具３０１の頭頂部は、第１室１００ｂに突出しており、載置状態において、この施錠具３０１の頭頂部を押下して施錠具３０１をメダル受け皿３３側へスライドさせると、化粧パネルは係止され、可動不能に施錠される（図５参照）。
【００４９】
メダル受け皿３３および灰皿３４は、立設された壁部と開放された上面とを有しており、その内部にメダルまたは吸い殻等を収容できるように、凹状に形成されている。そして、メダル受け皿３３および灰皿３４は、化粧パネル１１０が前面扉３に対し９０°に開放された場合、即ち載置状態にセットされた場合に、メダル受け皿３３および灰皿３４それぞれの壁部の上面（開口の周縁）が、化粧パネル１１０に当接する高さに形成されている。つまり、化粧パネル１１０が載置状態にセットされた場合には、化粧パネル１１０によってメダル受け皿３３の上面は閉鎖される。
【００５０】
このメダル受け皿３３の正面視右側の壁部には、施錠装置３１０が設けられている。施錠装置３１０は、壁部上面から下方へ向かって削孔された施錠挿入口３０２を備えており、この施錠挿入口３０２は、化粧パネル１１０が載置状態となった場合に上記の施錠具３０１に対応する位置に配設されている。上記の施錠具３０１の頭頂部が押下されると、この施錠挿入口３０２に施錠具３０１が挿入され、化粧パネル１１０が載置状態で係止されて施錠される（図５参照）。かかる施錠機構については図５の説明において後述する。
【００５１】
また、施錠装置３１０には、締結部１００ａと施錠装置３１０とによる化粧パネル１１０の施錠を解除（解錠）する解錠部が設けられている。解錠部は、鍵の操作に伴って回動するシリンダを備えており、かかるシリンダはメダル受け皿３３に埋設されている。該シリンダには鍵が挿入される鍵挿入口３１０ｅが内設されており、鍵挿入口３１０ｅの鍵の挿入側はメダル受け皿３３の壁部に露出している。
【００５２】
図４は、側面視にて化粧パネル１１０の開閉動作を示したスロットマシン１０の部分拡大図である。図４（ａ）においては、操作レバー１０６ａの長手方向は水平方向に位置しており、操作レバー１０６ａの長手方向と直交する方向に延出される掛止部材１０６ｃは、枠体１００の上側側面から上方に突出されている。具体的には、図４（ａ）の拡大図Ｘに示すように、掛止部材１０６ｃは、一方の貫通口１０９ａから上方に突出されると共に、Ｕ字型に屈曲した先端側が他方の貫通口１０９ｂから下方に向かって挿嵌されている。つまり、枠体１００の上側から突出した掛止部材１０６ｃの部分によってアーチが形成されており、かかるアーチ部分が前面扉３側に設けられた溝に収容されている。溝に収容された掛止部材１０６ｃは、前方側への可動が規制される。このため、化粧パネル１１０は、掛止部材１０６ｃにて前面扉３に掛止されて前方側への可動（回動）が規制され、ロックされた状態で保持される。
【００５３】
図４（ｂ）、図４（ｃ）は、図４（ａ）の状態から、操作レバー１０６ａを１８０°回転させた状態を示しており、掛止部材１０６ｃは、軸１０６ｂから鉛直方向下側に向かって下垂されており、ロックが解除された状態を示している。ロックが解除された場合、化粧パネル１１０は、ヒンジ部材１０１，１０２を回転中心として下側へ回動される。これに伴い、化粧パネル１１０の裏面プレート１１１に取着された支持金具１０５の一端が、化粧パネル１１０の移動に応じて前方へ牽引されることとなり、２つ折りの状態に折り畳まれた支持金具１０５を伸長しつつ、化粧パネル１１０は回動する（図４（ｂ））。
【００５４】
支持金具１０５の他端は、前面扉３に固定されているので、支持金具１０５が最大に（支持金具１０５の長さ分）伸長された状態となると、化粧パネル１１０の下側方向への回動は規制され、化粧パネル１１０の移動は停止される。支持金具１０５の長さは、前面扉３に対して化粧パネル１１０の裏面プレート１１１が９０°となる長さに形成されているので、開放された化粧パネル１１０は、前面扉３に対して９０°の角度で保持されることとなり、かかる状態において上面側となる裏面プレート１１１上へ物品を載置できる載置状態となると共に、メダル受け皿３３および灰皿３４の上面に当接し、メダル受け皿３３の上面を閉塞する（図４（ｃ））。このため、開放された化粧パネル１１０は、支持金具１０５のみならず、メダル受け皿３３および灰皿３４の上面にても支持されることとなる。
【００５５】
更に、化粧パネル１１０の下側の側面、即ちヒンジ部材１０１，１０２が設けられた側の側面は、載置状態において基底部分４ｂ１に当接する。このため、化粧パネル１１０は、前面扉３（本体２）の側から反回動方向へ作用する力（化粧パネル１１０を押し上げる力）を受けることとなる。その結果、化粧パネル１１０は、本体側からも支えられることとなる。
【００５６】
次に、図５を参照して、載置状態にセットされた化粧パネル１１０の施錠機構について説明する。図５は、本実施の形態における化粧パネル１１０の施錠機構を説明する図である。本実施の形態においては、化粧パネル１１０の施錠は、載置状態において実行されるので、図５（ａ）〜図５（ｄ）には、載置状態にある化粧パネル１１０を図示しており、化粧パネル１１０は、メダル受け皿３３に当接している。
【００５７】
施錠具３０１は、略円柱状の軸を備え、その軸の端部であって頭頂部に対し軸方向に沿って反対側となる側には第２係合部３０１ａが設けられている。第２係合部３０１ａは、円柱の外径よりも大きな直径を有すると共に端部の先端側に向かうにつれて直径の小さくなるドーム型に形成されている。
【００５８】
頭頂部と第２係合部３０１ａとの間には、軸の円柱の周縁から放射状に突き出すストッパ３０１ｂが周設されている。ストッパ３０１ｂは、第２室１００ｃの底面の開口よりも大きく形成されており、施錠具３０１の底面方向への移動量を規制している。ストッパ３０１ｂには、円柱の直径方向に相対する２カ所にバネ３０１ｃの一端がそれぞれ固定されており、各バネ３０１ｃの他端は、画設板１００ｄに固定されている。このバネ３０１ｃにより、施錠具３０１には頭頂部側（矢印Ａ方向）へ牽引される付勢力が作用しており、施錠具３０１の第２係合部３０１ａの先端は、解錠状態では第２室１００ｃの底面と同一平面上にセットされている。
【００５９】
また、施錠装置３１０には、施錠具３０１の反挿入方向側（矢印Ａ方向）へ付勢された付勢部材３１０ｃが施錠挿入口３０２に内設されている。この付勢部材３１０ｃは、解錠状態において、その上面がメダル受け皿３３の上面と面一になる高さに配置されている。付勢部材３１０ｃの周縁には、施錠具３０１が施錠挿入口３０２に挿入された場合に、その第２係合部３０１ａと係合する２の第１係合部３１０ａが設けられている。各第１係合部３１０ａは、それぞれ施錠挿入口３０２の中心方向へ突出して設けられており、その突出方向の先端が互いに対向する位置に配設されている。第１係合部３１０ａの先端部分には、メダル受け皿３３の下方側から上面側へ向かって次第に（他方の第１係合部３１０ａとの）対向間隔が広がる傾斜が付与されている。また、かかる２の第１係合部３１０ａの先端部分の最小の対向間隔は、第２係合部３０１ａの最大直径よりも小さく設計されている。また、第１係合部３１０ａは、突出方向後端側に設けられた支持軸を回転中心として上下方向に回動可能に軸支されている。更に、第１係合部３１０ａは、非図示の付勢部材により上側方向（矢印Ｂ方向）に付勢されていると共に、第１係合部３１０ａの上方に設けられた規制板３１０ｂにより、水平より上側への回動が規制（水平状態に保持）されている。
【００６０】
化粧パネル１１０が載置状態となると、施錠具３０１の第２係合部３０１ａの先端は施錠装置３１０の付勢部材３１０ｃの上面に接触する。かかる状態において、施錠具３０１は、バネ３０１ｃと付勢部材３１０ｃとの付勢力により施錠挿入口３０２の上面に配置され、施錠挿入口３０２内には貫入されない（図５（ａ））。
【００６１】
施錠具３０１の頭頂部は、（スロットマシン１０の）外部に露出しており、遊技者（操作者）が操作できる状態になっている。この施錠具３０１の頭頂部が押下されると、施錠具３０１はバネ３０１ｃと付勢部材３１０ｃとの付勢力に抗してメダル受け皿３３側（矢印Ｃ方向）へ移動し、第２係合部３０１ａにて付勢部材３１０ｃを押し下げながら、施錠挿入口３０２内に進入する。進入した施錠具３０１は、水平状態に保持されている第１係合部３１０ａの先端部分に第２係合部３０１ａにて接触し、その傾斜にガイドされつつ該第１係合部３１０ａを下方側（矢印Ｄ方向）に回動させながら更に下方へと進入する（図５（ｂ））。
【００６２】
施錠具３０１の第２係合部３０１ａが第１係合部３１０ａに非接触となる位置まで、即ち、第１係合部３１０ａよりも下方まで進入すると、第１係合部３１０ａは、下側方向に押下される応力から開放され、第１係合部に働く上側方向（矢印Ｂ方向）への付勢力にて初期位置（水平状態）に復帰する。かかる状態にて施錠具３０１が該施錠具３０１を押下する応力から開放されると、施錠具３０１は、付勢部材３１０ｃの付勢力にて上側方向（矢印Ａ方向）に押し戻され、施錠具３０１の第２係合部３０１ａと施錠装置３１０の第１係合部３１０ａとが係合する。第１係合部３０１ａは、上記したように、規制板３１０ｂにより水平より上側への回動が規制されているので、施錠具３０１は、反挿入方向への移動が禁止される。故に、化粧パネル１１０がメダル受け皿３３に係止されると共に、載置状態にて施錠されることとなる（図５（ｃ））。
【００６３】
鍵挿入口３１０ｅから挿入された鍵にて回転操作が行われると、かかる回転操作に連動して解錠部のシリンダが回転する。シリンダには、第１係合部３１０ａの先端を下側に牽引する非図示の牽引部材の一端が固着されており、シリンダの回転に連動して、かかる牽引部材は、下側方向（矢印Ｄ方向）に第１係合部３１０ａを回動させる。すると、第１係合部３１０ａの先端の対向間隔が第２係合部３０１ａの最大直径以上となり、付勢部材３１０ｃとバネ３０１ｃとの付勢力にて施錠具３０１は上側（矢印Ａ方向）へ移動され、施錠挿入口３０２から抜脱されて化粧パネル１１０の施錠が解除（解錠）される（図５（ｄ））。これにより、図５（ａ）に示した状態に復帰し、化粧パネル１１０を上側方向へ持ち上げると、化粧パネル１１０を前面扉３を被覆する状態（閉状態）に戻すことができる。
【００６４】
このように、本実施の形態のスロットマシン１０によれば、化粧パネル１１０を載置状態とすることによりメダル受け皿３３の上面を閉塞することができ、また、かかる状態で化粧パネル１１０とメダル受け皿３３とを施錠することができる。故に、遊技者がスロットマシン１０から離れた場合におけるメダルの盗難を防止でき、また、遊技者は、メダル受け皿３３にメダルを貯留したままであっても、安心して、スロットマシン１０から離れて必要な用事（食事や休憩など）を済ませることができる。
【００６５】
更に、スロットマシン１０の前面下方側に、貯留容器などの物品を載置する台を設けることができるので、遊技者は、貯留容器からメダルを取り出すための一連の動作を効率的に行うことができ、必要時に容易に利用することができる。加えて、遊技者は、自身の膝の上に貯留容器を載置するといった不安定な状態で遊技を行わずとも良く、集中して遊技を行うことができる。
【００６６】
次に図６を参照して、本発明の第２の実施の形態について説明する。第１の実施の形態においては、スロットマシン１０の締結部１００ａは、軸方向にスライド可能に構成された施錠具３０１を備え、載置状態にある化粧パネル１１０の施錠具３０１を押下することにより、化粧パネル１１０をメダル受け皿３３に係止（施錠）するように構成した。これに代えて、第２の実施の形態においては、化粧パネル１１０を載置状態にセットすれば、化粧パネル１１０がメダル受け皿３３に施錠されるように構成されている。尚、上記した第１の実施の形態と同じ部分には同じ符号を付し、その説明を省略する。
【００６７】
図６は、第２の実施の形態における施錠機構を説明する図である。第２の実施の形態のスロットマシン２００は、第１の実施の形態のスロットマシン１０の締結部１００ａに代えて締結部２００ａ、施錠装置３１０に代えて施錠装置４１０を備えたものである。
【００６８】
締結部２００ａは、第２室１００ｃを備え、第１の実施の形態における第１室は非設とされている。この第２室１００ｃに施錠具３０１は内設され、第２室１００ｃの天井１００ｅに固設されている。つまり、第２の実施の形態においては、施錠具３０１は、スライド不能に形成されている。また、施錠具３０１ａは、第２室１００ｃの底面から突出する形態に形成されており、第２係合部３０１ａは、無負荷の状態で第２室１００ｃの底面の開口から外方に突き出している。
【００６９】
施錠装置４１０は、メダル受け皿３３の正面視右側の壁部に設けられており、施錠具３０１に対応する位置においてメダル受け皿３３の壁部上面から下方へ向かって削孔された施錠挿入口３０２を備えている。施錠装置４１０では、施錠具３０１の第２係合部３０１ａと係合する第１係合部３１０ａは、上下方向でなく、水平方向にスライド可能に構成されており、非図示の付勢部材によって施錠挿入口３０２の中心方向側（矢印Ｅ方向）に付勢されている。また、第１係合部３１０ａの下方には、挿入された施錠具３０１の第２係合部３０１ａの先端が当接する突起部４１０ｃが設けられており、突起部４１０ｃの上面と第１係合部３１０ａの下面との間の間隔は、第２係合部３０１ａの軸方向の厚さと略同一に形成されている。
【００７０】
開放された化粧パネル１１０が、メダル受け皿３３の方向に回動するにつれて、締結部２００ａの施錠具３０１は、施錠装置４１０の施錠挿入口３０２へ挿入される（図６（ａ）。挿入された施錠具３０１は、第２係合部３０１ａにて第１係合部３１０ａの先端部分に接触し、その傾斜にガイドされつつ下方へ進入すると共に、両第１係合部３１０ａを離間させる方向（矢印Ｆ方向）にスライドさせ、更に下方側へ進入する。（図６（ｂ））。
【００７１】
施錠具３０１の第２係合部３０１ａは、化粧パネル１１０がメダル受け皿３３に当接した場合には、第１係合部３１０ａに非接触となる位置まで、即ち、第１係合部３１０ａよりも下方まで進入するようになっており、突起部４１０ｃに当接する。これにより、第１係合部３１０ａは、離間する方向に押される応力から開放され、第１係合部３１０ａに働く中心方向（矢印Ｅ方向）への付勢力にて初期位置に復帰する。故に、第２係合部３０１ａと第１係合部３１０ａとが係合して、施錠具３０１の反挿入方向へ移動が禁止される。従って、載置状態となった化粧パネル１１０はメダル受け皿３３に係止されると共に、施錠されることとなる（図６（ｃ））。
【００７２】
この第２の実施の形態においても、鍵挿入口３１０ｅから挿入された鍵にて回転操作が行われると、かかる回転操作に連動して解錠部のシリンダが回転する。シリンダには、第１係合部３１０ａ同士を離間させる方向に牽引する非図示の牽引部材が固設されており、牽引部材の一端は、第１係合部３１０ａの後端（施錠挿入口３０２の中心から離れる方向側の端部）に固着されている。シリンダの回転に連動して、かかる牽引部材は、第１係合部３１０ａ同士を離間させる方向（矢印Ｆ方向）にスライドさせる。すると、第１係合部３１０ａの先端の対向間隔が第２係合部３０１ａの最大直径以上となる（図６（ｄ））。かかる状態にて、化粧パネル１１０を上側方向へ持ち上げると、施錠具３０１は挿入口３０２から抜脱されて化粧パネル１１０の施錠が解除（解錠）され、化粧パネル１１０を前面扉３を被覆する状態（閉状態）に戻すことができる。
【００７３】
このように、第２の実施の形態によれば、遊技者がわざわざ操作を行わずとも、化粧パネル１１０を載置状態とすることにより施錠を実行することができる。つまり、施錠操作を遊技者に依存しないため、施錠の確実性を向上させることができる。
【００７４】
次に図７を参照して、本発明の第３の実施の形態について説明する。第１の実施の形態においては、解錠操作を実行する鍵は、スロットマシン１０とは別体で設けられたが、第３の実施の形態においては、解錠操作を実行する鍵はスロットマシン１０に着脱可能に設けられている。尚、上記した第１の実施の形態と同じ部分には同じ符号を付し、その説明を省略する。
【００７５】
図７は、第３の実施の形態における化粧パネル１１０の施解錠機構を説明する図である。第３の実施の形態のスロットマシン３００は、第１の実施の形態のスロットマシン締結部１００ａに代えて締結部６００、施錠装置３１０（施錠挿入口３０２）に代えて施錠挿入口５０６を備え、更に、施解錠動作を行う鍵５００が新たに設けられたものである。
【００７６】
メダル受け皿３３には、締結部６００が内蔵されており、該締結部６００には、鍵５００の操作に応じてメダル受け皿３３の前後方向にスライドされると共に、前面扉３に設けられた施錠挿入口５０６に抜脱可能に挿入される施錠具５０５が設けられている。この施錠具５０５は、底面部５０５ａと底面部５０５ａから立設された凸部５０５ｂとを備えた鉤型に形成されており、メダル受け皿３３の前面側に凸部が配置されるように（メダル受け皿３３の前方から後方に底面部５０５ａが突き出すように）配設されている。締結部６００には施錠具５０５のスライドをガイドする非図示のガイド溝と、施錠具５０５のメダル受け皿３３前面側へのスライドを規制するストッパ部５０７とが設けられている。
【００７７】
この施錠具５０５をスライドさせる鍵５００は、把持部５０１と、把持部５０１から延出される軸周縁から外方に向かって突設された３つの突起部（第１〜第３突起部５０２，５０３，５０４）を備えている。第１突起部５０２は軸方向を横断する方向に延出され角柱状に形成されており、施錠具５０５がストッパ部５０７に当接した状態において、施錠具５０５の凸部の裏面５０５ｂ１に当接している。
【００７８】
第２突起部５０３は、軸における第１突起部５０２の配設位置を基準として９０°反時計方向に回転した位置に設けられており、軸周縁から外方に向かって延出された先端側が直角に屈曲する鉤状に形成されている。第３突起部５０４は、軸における第２突起部５０３の配設位置を基準として更に９０°反時計方向に回転した位置に設けられており、第２突起部５０３と同様に、軸周縁から外方に向かって延出された先端側が直角に屈曲する鉤状に形成されている。
【００７９】
化粧パネル１１０が載置状態にあり且つ未施錠である場合、鍵５００はメダル受け皿３３に回転可能に装着されており、その把持部５０１はメダル受け皿３３の壁部から外方に露出している。また、施錠具５０５は、前面扉３の施錠挿入口５０６から最も遠い位置に配置され、ストッパ部５０７に係止されている（図７（ａ））。
【００８０】
鍵５００の把持部５０１を操作して、鍵５００を反時計方向に回転させると、軸の回転に伴って、第１〜第３突起部５０２〜５０４が反時計方向に回動する。そして、鍵５００の第２突起部５０３が施錠具５０５の凸部５０５ｂに接触し、施錠具５０５をメダル受け皿３３の後方側へと、即ち、前面扉３の側へ押進する（図７（ｂ））。
【００８１】
図７（ｂ）の状態から更にこの鍵５００を反時計方向に回転させると第２突起部５０３にて押進された施錠具５０５の底面部５０５ａが施錠挿入口５０６に挿入される。図７（ａ）に示した状態から鍵５００が反時計方向に９０°に回転された場合には、施錠具５０５が施錠挿入口５０６の最奥まで挿入されて更なる挿入が禁止されると共に、施錠具５０５の凸部５０５ｂに第２突起部５０３が当接して、反時計方向へのそれ以上の回転が禁止される。尚、かかる状態において、施錠具５００の凸部５０５ｂは、前面扉３と所定の間隙を隔てて配置される（図７（ｃ））。メダル受け皿３３の壁部の外壁には、鍵５００の挿入口５１０（図７においては２点差線の想像線にて図示）が穿設されており、かかる挿入口５１０は、鍵５００が図７（ｃ）の状態にある場合の態様に応じて形成されている。鍵５００は、挿入口５１０の形状に一致する態様にて（図７（ｃ）の状態）、この挿入口５１０への挿入および挿入口５１０からの抜脱が可能となる。故に、鍵５００により施錠がなされると、鍵をメダル受け皿３３から脱着することができる。鍵５００をメダル受け皿３３から脱着すれば、解錠操作が不能となるので、化粧パネル１１０は前面扉３に係止され、載置状態にて施錠されることとなる。
【００８２】
更に、施錠された状態において、鍵５００を挿入口５１０に挿入し、（把持部５０１を把持して）時計方向に回転させる解錠操作が行われると、施錠具５０５の凸部５０５ｂと前面扉３との間隙に第１突起部５０２の先端が侵入し、凸部５０５ｂの裏面５０５ｂ１から施錠具５０５を反挿入方向に押進する（図７（ｄ））。そして、更に鍵５００を時計方向に回転させることにより施錠具５０５は施錠挿入口５０６から抜脱され（図７（ｅ））、ストッパ部５０７に当接するまで施錠具５０５をメダル受け皿３３の前方側にスライドさせることができる（図７（ｆ））。これにより、化粧パネル１１０の施錠が解錠され、化粧パネル１１０は上側方向への可動が可能となり、化粧パネル１１０を前面扉３を被覆する状態（閉状態）に戻すことができる。
【００８３】
このように、第３の実施の形態によれば、解錠操作を行う鍵５００をスロットマシン３００に装着しておくことができ、その紛失などの可能性を小さくでき、管理を容易とすることができる。更に、化粧パネル１１０を施錠した場合に、鍵５００をスロットマシン３００から脱着することができるので、遊技者本人が関知しないところで解錠操作が行われる危険性を低下させることができる。
【００８４】
尚、上記各実施の形態において、請求項１および後述する遊技機１記載の「本体」としては、本体基部である本体２と本体開閉部である前面扉３とが該当する。
【００８５】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００８６】
例えば、上記各実施の形態では、化粧パネル１１０全体を可動（回動）させて、化粧パネル１１０全体にて、物品を載置できるように構成した。これに代えて、化粧パネル１１０を部分的に分割して形成し、その一部分のみが回動して載置状態を形成するように構成しても良い。
【００８７】
更に、化粧パネル１１０は、前面扉３に取着された状態にて、前面扉３に対する閉状態と開放状態とに遷移するように構成された。これに代えて、化粧パネル１１０を前面扉３に対し着脱可能に構成すると共に、脱着した化粧パネル１１０を保持する保持部を設け、かかる保持部に化粧パネル１１０を装着することにより、化粧パネル１１０を載置状態にセットするように構成しても良い。
【００８８】
また、第１の実施の形態においては、第１係合部３１０ａは、上下方向に回動するように構成されたが、第３の実施の形態のように、水平方向に回動するように構成しても良い。
【００８９】
更に、上記各実施の形態において、スロットマシン１０，２００，３００に、化粧パネル１１０が施錠状態となると発光するランプや発光ダイオードなどの発光装置と、施錠具３０１，５０５が施錠挿入口３０２，５０６に挿入されると該発光装置をオンし、施錠具３０１，５０５が施錠挿入口３０２，５０６から抜脱されると発光装置をオフにするスイッチとを設けても良い。これによれば、スロットマシン１０，２００，３００の周辺の者に、遊技が実行されていなくとも該スロットマシン１０，２００，３００が使用中であって、且つ遊技者が一時的に離席していることを認識させることができる。このため、他の遊技者は、スロットマシン１０，２００，３００の選定に際し、使用中のスロットマシン１０，２００，３００を誤って選定することを回避できる。また、遊技場側は、発光装置が発光中のスロットマシン１０，２００，３００を他のスロットマシン１０，２００，３００と容易に区別することができるので、その監視を容易とすることができ、有価物体の抜き取りに対する抑止力を強化することができる。
【００９０】
尚、発光装置に代えて、化粧パネル１１０が施錠状態にあることの通知を、スピーカからの所定の効果音の出力や、液晶表示装置に所定の情報を現出などにて実行されるように、スロットマシン１０，２００，３００を構成しても良い。
【００９１】
本発明を上記実施の形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として特別遊技状態となるパチンコ機として実施しても良い。更に、パチンコ機以外にも、アレパチ、雀球、スロットマシン、いわゆるパチンコ機とスロットマシンとが融合した遊技機などの各種遊技機として実施するようにしても良い。
【００９２】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、或いは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００９３】
一般的なスロットマシンでは、その内部に遊技媒体（メダル）を貯留するための貯留部（補助タンク）が設けられており、該貯留部の上方に識別情報を変動表示するための回胴が設けられている。ここで、貯留部と回胴とを上下に配置して１の装置を形成すると、貯留部の前面に該貯留部を覆う装飾パネル（化粧パネル）が配設されることとなる。貯留部は、多量の遊技媒体を貯留し得るように大型化されており、故に、装飾パネルも大型のパネルが組み付けられる。従って、通常設けられる該装飾パネルを用いて、十分に貯留皿の上面を遮蔽することのできる遮蔽部材を容易に形成でき、装置の基本構成を大きく変更する必要がない上、低コストで遮蔽部材を設けることができる。
【００９４】
また、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に有利な大当たり状態が発生させられ、遊技者には、下部の受皿に多量の球が払い出されるものである。
【００９５】
以下に本発明の遊技機およびその変形例を示す。
【００９６】
有価物品の投入に起因して実行される遊技の制御を行う制御手段を有する本体と、その制御手段から送信されるコマンドに基づいて前記有価物体を払い出す払出実行手段と、前記払出実行手段にて払い出された前記有価物体を貯留するものであって前記本体の前面側において外方へ向かって凸設されると共に立設された壁部と開放された上面とを有し凹状に形成された貯留皿とを備えた遊技機において、前記貯留皿の上面を覆い隠す閉鎖状態と該上面を開放した開放状態とを形成する開閉自在の遮蔽部材と、その遮蔽部材を前記閉鎖状態を形成する閉鎖位置に保持する保持部材とを備えていることを特徴とする遊技機１。
【００９７】
尚、「遮蔽する」とは、貯留皿の上面を覆うことを意味しており、貯留皿の上面に当接、または隙間を有して近接した状態に遮蔽部材を配置することを示している。
【００９８】
遊技機１において、前記本体の前面側において前記制御手段にて制御される遊技状態を現出させる遊技領域と操作者により遊技に関する操作がなされる操作領域とを除く他の領域に設けられた装飾パネルと、その装飾パネルを可動可能に支持する支持手段と、その支持手段により支持される前記装飾パネルを前記本体の前面を覆う状態で駐止する駐止手段と、その駐止手段による前記装飾パネルの駐止を解除する駐止解除手段とを備え、前記保持部材は、前記駐止解除手段により駐止が解除され前記装飾パネルの前面と裏面とが上下に配置された前記装飾パネルを前記閉鎖位置に保持するものであり、前記遮蔽部材は前記装飾パネルにて形成されていることを特徴とする遊技機２。
【００９９】
装飾パネルは、支持手段により可動可能に支持され、駐止手段によって本体の前面を覆う状態で駐止される。駐止手段による装飾パネルの駐止が駐止解除手段により解除されると、装飾パネルは可動可能となる。可動可能となった装飾パネルは、その前面と裏面とが上下に配置され、保持部材により閉鎖位置に保持される。つまり、装飾パネルは、貯留皿の上面を覆い隠す遮蔽部材となる。
【０１００】
装飾パネルは一般に遊技機に設けられている部材であるので、かかる装飾パネルを遮蔽部材とすることにより、（新たな部材を設けることなく）低コストで遮蔽部材を遊技機に備え付けることができる。また、装飾パネルを、その前面と裏面とが上下に配置された状態で貯留皿の上面を覆った場合には、上側となった面に物品を載置することができ、遊技機の前面側に物品を載置する台（棚）を形成することができる。
【０１０１】
よって、遊技者は、遊技機から払い出された有価物体を貯留する（遊技機とは別体の）貯留容器を、かかる台（遮蔽部材）に載置して遊技を行うことができる。このため、遊技者は貯留容器からの有価物体の出し入れを簡便に実行できる上、膝の上に貯留容器を載置して遊技を行う場合のような不安定な体勢で遊技を行う必要がない。
【０１０２】
尚、「上下に配置された状態」における「上下」とは、遊技機の設置状態において、該遊技機の上方側を上、下方側を下として規定される上下方向に対する上下であり、「上下に配置された状態」は装飾パネルの一方の面が他方の面に対して上方側に配置された状態を意味している。また、「上下に配置された状態」は、装飾パネルが水平に保持されるのみならず、傾斜した状態をも含む概念である。
【０１０３】
遊技機２において、前記操作領域は前記遊技領域の下方に設けられ、前記装飾パネルは前記操作領域と前記貯留皿との間に配設され、前記保持部材は前記操作領域と前記貯留皿との間に前記装飾パネルを保持するものであることを特徴とする遊技機３。このため、遊技領域を遊技機の前面側において（椅子に座した）遊技者が視認しやすい位置に配設すると共に、有価物体が貯留されて大きな重量が負荷されても安定性が保たれる位置に貯留皿を配設することができる。また、操作領域および装飾パネルを遊技領域と貯留皿との間に配設することにより、遊技者（操作者）にとって最も取り扱い性の良好な位置にこれらを設けることができ、その使い勝手を向上させることができる。また、装飾パネルは、保持部材にて操作領域と貯留皿との間に保持されるので、遊技領域の視認や操作領域での操作に対する阻害を抑制することができる。
【０１０４】
遊技機２または３において、前記支持手段は、前記装飾パネルを前記本体に対し回動可能に軸支する軸支部を備えており、前記保持部材は、前記駐止解除手段により駐止が解除された場合に前記軸支部を回転中心として回動されて前記装飾パネルの前面と裏面とが上下に配置された前記装飾パネルを保持するものであることを特徴とする遊技機４。
【０１０５】
装飾パネルは、駐止解除手段により駐止が解除された場合には、軸支部を回転中心として、装飾パネルの前面と裏面とが上下に配置される方向に回動される。回動された装飾パネルは、保持部材により、装飾パネルの前面と裏面とが上下に配置された状態で保持されることとなる。
【０１０６】
遊技機４においては、軸支部に支持された状態で装飾パネルを回動により移動させることができるので、装飾パネルをその前面と裏面とが上下に配置された状態にセットする場合の動線が簡素になる。これによれば、装飾パネルをその前面と裏面とが上下に配置された状態にセットする場合の動線が複雑な場合や、装飾パネルを一旦本体から脱着することによって装飾パネルを移動させる場合などに比して、単純な機構にて装飾パネルの前面と裏面とが上下に配置された状態にセットすることが出来る上、その装飾パネルの取り扱いを容易とすることができる。特に、装飾パネルが大きな外形を有している場合には、装飾パネルを移動させるための労力を大きく軽減することが出来る。
【０１０７】
遊技機４において、前記軸支部は、前記装飾パネルの下方側の端部に配設されており、前記装飾パネルは、前記軸支部を回転中心にして下方に回動されると共に、その前面と裏面とが上下に配置された場合に前記本体に当接する当接部を、前記軸支部の設けられた側の側面に備えていることを特徴とする遊技機５。
【０１０８】
装飾パネルは、装飾パネルの下方側の端部に配設された軸支部を回転中心にして下方に回動される。回動された装飾パネルは、保持部材により、その前面と裏面とが上下に配置された状態に保持される。かかる状態に保持された装飾パネルは、軸支部の設けられた側の側面に備えられた当接部にて本体に当接される。
【０１０９】
下方側へ回動された装飾パネルは、当接部にて本体に当接すると本体側から反回動方向へ作用する力（装飾パネルを押し上げる力）を受けることとなり、その結果、当接部（本体）にて支えられることとなる。一方で、装飾パネルを上方側へ回動する機構とした場合には、当接部が本体に当接することにより本体側から反回動方向へ作用する力を受けると、装飾パネルを押し下げる方向に力が作用してしまう。また、装飾パネル（遮蔽部材）を回動させ貯留皿の上面を覆う閉鎖位置に保持する場合には、装飾パネルは貯留皿の上方に設けられる。故に、装飾パネルを上方側へ回動する機構とした場合には、装飾パネルと貯留皿の上面との対向面間隔が増大する方向となる。装飾パネルと貯留皿の上面との対向面間隔が大きくなると、両者の間隙を利用して貯留皿から有価物体を取り出すことができてしまい、貯留皿の上面を装飾パネル（遮蔽部材）で覆っても、貯留皿からの有価物体の抜き取り抑止に対する有効性が低下する。このため、上方側へ回動した装飾パネルを更に貯留皿側へ接近させる機構を設けねばならず、装置構成が複雑化してしまう。
【０１１０】
遊技機５においては、装飾パネルを上方側に回動させるのでなく、下方側へ回動させるように構成されているので、装飾パネルに設けられた当接部にても装飾パネルを支えることができる上、装飾パネルの回動および保持を行う装置構成を簡素にできる。また、重力に逆らって装飾パネルを移動させる必要がないので、上方側へ装飾パネルを回動させる場合に比べて、操作者は、軽微な労力で装飾パネルを移動させて保持部材に保持させることができる。
【０１１１】
遊技機２から５のいずれかにおいて、前記本体は、前記駐止手段により駐止された前記装飾パネルにて被覆される被覆部分に、目視にて視認し得る視覚情報が表示されているものであることを特徴とする遊技機６。装飾パネルが駐止手段により駐止されている場合には、装飾パネルに対向する本体の前面は、装飾パネルにて被覆される。一方で、装飾パネルが、保持部材にて保持された状態にある場合には、本体の被覆部分は露出する。
【０１１２】
一般的な遊技機の装飾パネルは、本体の前面を被覆した状態において前面側となる面（前面）に視覚情報が表示されている。視覚情報は、文字や図柄など目視にて視認し得る情報である。装飾パネルが保持部材にて閉鎖位置に保持された場合には、かかる面、即ち装飾パネルの前面と裏面とは上下に配置されるので、装飾パネルの前面に表示された視覚情報は正面から見えにくくなり、遊技機の正面視の装飾性を低下させてしまう。しかし、遊技機６においては、本体の被覆部分に視覚情報を設けているので、装飾パネルが閉鎖位置に配置されても、遊技機の正面視の装飾性が低下することを抑制できる。また、視覚情報を表示する領域を従来のものに比べて増大させることができるので、豊富な情報を遊技者に提供することができる。
【０１１３】
遊技機１から６のいずれかにおいて、前記保持部材は、前記本体または前記貯留皿に設けられる第１係合部材と、前記遮蔽部材に設けられると共にその第１係合部材と係合する第２係合部材と、前記遮蔽部材が前記閉鎖位置に保持された場合において、前記第１係合部材と前記第２係合部材との少なくとも一方を、互いに係合する係合位置よりも手前の非係合位置に付勢する付勢部材とを備え、前記付勢部材にて付勢される前記第１係合部材と前記第２係合部材との一方または両方を付勢力に抗して係合位置に移動させる移動操作が行われた場合に、前記第１係合部材と前記第２係合部材とは互いに係合して前記遮蔽部材を閉鎖位置に係止するものであることを特徴とする遊技機７。
【０１１４】
遮蔽部材が閉鎖位置に保持された場合、即ち遮蔽部材により貯留皿の上面を覆った閉鎖状態において、第１係合部材と第２係合部材との少なくとも一方は、付勢部材により、互いに係合する係合位置よりも手前の非係合位置に付勢される。かかる第１係合部材と第２係合部材との一方または両方を付勢力に抗して係合位置に移動させる移動操作が行われた場合には、第１係合部材と第２係合部材とが互いに係合した状態で、遮蔽部材は閉鎖位置に（本体または貯留皿に）係止される。
【０１１５】
遮蔽部材が可動自在であると、遊技者が遮蔽部材に接触した場合など、予期せず遮蔽部材が動いてしまい、遮蔽部材、或いは遮蔽部材上に載置した物品が落下するなどの不具合が発生しかねない。遊技機７においては、閉鎖位置において遮蔽部材を本体または貯留皿に係止することができるので、かかる不具合を解消することができる。
【０１１６】
また、貯留皿は有価物体が貯留される容器であり、遊技者は、遊技中、かかる貯留皿からの有価物体の出入れを行う。ここで、第１係合部材と第２係合部材との係合により遮蔽部材が閉鎖位置に保持されると、係合状態を解除して遮蔽部材を開放側へ移動させることとなり、特に、貯留皿から頻繁に有価物体の出入を行う場合においては、その開放動作の労力を大きくしてしまう。しかし、遊技機７においては、遮蔽部材が単に閉鎖位置に保持（貯留皿の上面を覆う状態に配置）されただけでは、第１係合部材と第２係合部材とは係合しない（閉鎖位置に係止されない）。そして、第１係合部材と前記第２係合部材との少なくとも一方に対する移動操作が行われることにより、初めて遮蔽部材を本体または貯留皿に係止することができる。言い換えれば、移動操作を操作者（遊技者）が行うことにより、その都合に応じて、遮蔽部材を本体または貯留皿に係止することができる。
【０１１７】
尚、移動操作は、第１係合部材、第２係合部材を係合方向へ移動させるために行われる操作であり、操作者が直接的に第１係合部材、第２係合部材に対し反付勢方向への力を加えることによってなされても良い。また、第１係合部材、第２係合部材が電気的機構によって係合方向へ移動するように構成されている場合には、かかる電気的機構を動作させる所定の信号の入力が移動操作とされる。
【０１１８】
遊技機１から６のいずれかにおいて、前記保持部材は、前記本体または前記貯留皿に設けられる第１係合部材と、前記遮蔽部材に設けられると共にその第１係合部材と係合して前記遮蔽部材を閉鎖位置に保持する第２係合部材とを備えており、前記遮蔽部材の遮蔽動作に伴って前記第２係合部材は、前記第１係合部材と係合する係合位置に移動し、互いに係合して前記遮蔽部材を閉鎖位置に係止するものであることを特徴とする遊技機８。
【０１１９】
このため、遮蔽部材にて貯留皿の上面を遮蔽する場合において、遮蔽動作を行えば、遮蔽部材は閉鎖位置に係止されることとなる。貯留皿の上面を遮蔽部材にて遮蔽した場合、遮蔽部材の上側に物品を載置することができる。遮蔽部材が可動自在であると、遊技者が遮蔽部材に接触した場合など、予期せず遮蔽部材が動いてしまい、遮蔽部材上に載置した物品が落下するなどの不具合が発生しかねない。遊技機８においては、遮蔽部材にて遮蔽動作を行うだけで、遮蔽部材を閉鎖位置に係止することができるので、遊技者に、遮蔽部材を係止するための操作を遮蔽動作とは別で行わせる必要がない。遮蔽部材の係止を遊技者の操作に依存しないが故に、遊技者が遮蔽部材の拘止を忘れてしまうということがない。言い換えれば、閉鎖位置にある遮蔽部材を確実に係止することができ、閉鎖位置に保持された遮蔽部材が不意に動作することを規制でき、不慮の事故を回避できる。
【０１２０】
遊技機７または８において、前記保持部材は、前記第１係合部材と前記第２係合部材とが互いに係合した場合、前記第１係合部材と前記第２係合部材とが非係合状態へ遷移することを規制する遷移規制手段と、その遷移規制手段による規制を操作者による操作に基づいて解除する規制解除手段とを備えており、前記遷移規制手段による規制がその規制解除手段にて解除された場合に、前記閉鎖位置に係止された遮蔽部材を開放側へ移動可能とすることを特徴とする遊技機９。
【０１２１】
第１係合部材と第２係合部材とが互いに係合すると遮蔽部材は閉鎖位置に係止される。ここで、第１係合部材と前記第２係合部材とが互いに係合した場合、第１係合部材と第２係合部材とが非係合状態へ遷移することは、遷移規制手段により規制される。遷移規制手段による規制は、規制解除手段により操作者による操作に基づいて解除される。規制解除手段にて規制が解除された場合には、閉鎖位置に係止された遮蔽部材は開放側へ移動可能とされる。
【０１２２】
遊技者は、食事や休憩などのために暫時遊技を中断して遊技機から離れることも多い。遊技者が不在である遊技機の貯留皿に有価物体が貯留されていると、該有価物体が盗難にあう危険性が生じる。遊技機９においては、閉鎖位置に保持（係止）された遮蔽部材の開放を禁止することができるので、遊技者が遊技機近傍に不在であっても、貯留皿に貯留される有価物体が盗難される危険性を小さくすることができる。また、規制解除手段による規制解除により遮蔽部材は開放側へ移動可能なるので、遊技中の貯留皿の使用に支障が生じることはない。
【０１２３】
尚、遷移規制手段は、第１係合部材および第２係合部材の一方または両方が反係合方向へ移動することを規制するものを意味しており、例えば、第１係合部材および第２係合部材に当接して係合部材の可動を不能とする部材が例示される。また、第２係合部材に突起部、第１係合部材に該突起部が嵌入される嵌入口を備えた場合、嵌入口の軸方向が遮蔽部材の開放方向と交差するように構成したものが例示される。
【０１２４】
更に、規制解除手段が、いわゆる鍵を操作することにより遷移規制手段による規制を解除するものである場合には、複数の遊技機に共通の鍵によって各遊技機の遷移規制手段を動作させるように規制解除手段を構成しても良く、１の固有の鍵にてそれぞれの遷移規制手段を動作させるように規制解除手段を構成しても良い。また、遷移規制手段が電気的信号にて動作するように構成されている場合には、規制解除手段は、暗証番号などの固有の情報が入力される入力部からの情報入力に応じて規制を解除するものとされる。
【０１２５】
遊技機９において、前記規制解除手段は、鍵部材の動作に応じて前記第１係合部材と前記第２係合部材とを非係合状態とするものであり、前記鍵部材が抜脱可能に挿入される挿入部と、前記第１係合部材と前記第２係合部材とが非係合状態となった場合に、前記挿入部に挿入された前記鍵部材が反挿入方向へ移動することを禁止する抜脱禁止部とを備えていることを特徴とする遊技機１０。
【０１２６】
規制解除手段に設けられた挿入部には鍵部材が挿入され、その挿入部に挿入された鍵部材の動作に応じて第１係合部材と第２係合部材とは非係合状態とされる。第１係合部材と第２係合部材とが非係合状態となった場合には、抜脱禁止部により鍵部材が反挿入方向へ移動することが禁止される。一方、挿入部は鍵部材が抜脱可能に挿入されるように形成されたものであるので、第１係合部材と第２係合部材とが非係合状態にない場合、つまり、第１係合部材と第２係合部材とが係合している場合には、鍵部材を挿入部から抜脱することができる。
【０１２７】
第１係合部材と第２係合部材とが互いに係合した場合には、非係合状態への遷移が規制されており、言い換えれば、第１係合部材と第２係合部材とにより、遮蔽部材は施錠されていることとなる。かかる場合に鍵部材を遊技機から抜脱し、遊技者に携帯させたり、遊技場側で保管することができるので、施錠の安全性を保証することができる。また、前記第１係合部材と前記第２係合部材とが非係合状態となった場合には、鍵部材は、遊技機側に保持されるので、鍵部材の管理の煩雑さを解消し、鍵部材の紛失を抑制できる。
【０１２８】
遊技機９または１０において、前記第１係合部材と前記第２係合部材とが非係合状態への遷移を規制された状態にあることを示す遷移禁止情報を所定の感覚情報にて現出させる情報現出手段と、前記遷移禁止手段により前記第１係合部材と前記第２係合部材とが非係合状態へ遷移することが規制されると、前記情報現出手段に遷移禁止情報を現出させる現出実行手段とを備えていることを特徴とする遊技機１１。遷移禁止手段により第１係合部材と第２係合部材とが非係合状態への遷移が規制されると、現出実行手段にて情報現出手段による遷移禁止情報の現出が実行される。
【０１２９】
遊技者は、一時的に遊技を中断する場合には、係合した第１係合部材と第２係合部材とが非係合状態へ遷移することを規制した状態にて、自己の使用する遊技機から離れる。貯留皿に貯留された有価物体に対するセキュリティを確保することができるからである。遊技機１１においては、かかる場合には、遷移禁止情報が情報現出手段にて感覚情報として現出されるので、遊技が実行されていなくとも該遊技機が使用中であって、且つ遊技者が一時的に離席していることを遊技機周辺の者に認識させることができる。このため、他の遊技者は、遊技機の選定に際し、使用中の遊技機を誤って選定することを回避できる。また、遊技場側は、遷移禁止情報が現出中の遊技機を他の遊技機と容易に区別することができるので、その監視を容易とすることができ、有価物体の抜き取りに対する抑止力を強化することができる。
【０１３０】
尚、感覚情報とは、視覚、聴覚などの五感により認識される情報であり、情報現出手段としては、例えば、ランプ、発光ダイオード、液晶表示装置、ＥＬなどの光学的な情報を出力する出力装置や、スピーカなど音を出力する出力装置などが例示される。
【０１３１】
遊技機１から１１のいずれかにおいて、前記遮蔽部材が前記保持部材にて閉鎖位置に保持された場合に、前記遮蔽部材と前記貯留皿の上面とは当接するように構成されていることを特徴とする遊技機１２。このため、遮蔽部材を貯留皿にて支持することができる。その結果、広範囲に渡って遮蔽部材を支持することができ、有価物体が貯留された貯留容器などの重量物が遮蔽部材上に載置されても、遮蔽部材を安定に保持することができる上、遮蔽部材の局所への集中応力を緩和でき、遮蔽部材の長寿命化を図ることができる。
【０１３２】
遊技機１から１２のいずれかにおいて、前記遮蔽部材は、前記遮蔽部材の前面と裏面との間に内設された光源を備えており、前記遮蔽部材の前面または裏面のいずれかであって前記保持部材により閉鎖位置に保持された場合に上側となる面は、前記光源から照射される光を透過させる光透過性部材にて形成されていることを特徴とする遊技機１３。
【０１３３】
遊技場は、遊技の演出効果を高めるために場内の照明を暗くしていることも多い。このため、場内の照明設備からの光では遊技機に表示されている機種の識別が困難となったり、遊技者が身の回りの所用を行うことが不自由となったりする。遊技機１３においては、保持部材にて遮蔽部材が保持された場合に上側となる面は、光透過性部材にて形成され、また、遮蔽部材には光源が備えられているので、遊技場内の照明が暗い場合にも、機種の判別や遊技機に表示されている各種情報の読取、更には遊技者の個人的な所用などを遊技者に容易に行わせることができる。
【０１３４】
尚、この遊技機１３に、「前記遮蔽部材は、遮蔽部材の前面または裏面のいずれかであって保持部材にて保持された場合に上側となる面に、視覚情報を有するものである」との構成を加えて、遊技機１３としても良い。かかる遊技機１３によれば、光源からの光が直接的に照射される明るい領域であり、保持部材にて保持された場合に遊技者の視認性の良好な遮蔽部材の上側の面に視覚情報を表示することができ、遊技者による視覚情報の識別性や読取り性を向上させることができる。
【０１３５】
尚、光透過性部材とは、単に透明、半透明の材料などのように材料特性において光透過性を有するもののみならず、穿設口が設けられたものなど形状により光が透過するように形成されたものを含む概念である。
【０１３６】
遊技機１から１３のいずれかにおいて、前記遮蔽部材の前面または裏面のいずれかであって前記保持部材にて前記閉鎖位置に保持された場合において上側となる面には、載置された物品の移動を規制する移動規制手段を備えていることを特徴とする遊技機１４。このため、載置された物品の安定性を向上させることができる。なお移動規制手段としては、載置面へのゴムなどの滑りの悪い材料の被覆、載置面のエンボス加工や、想定される物品（ジュースの缶、たばこケース、携帯電話など）の形状に応じて載置面から下方に向かって凹設された凹部、或いは載置面から上方に向かって立設される凸部の形成、更には、磁石の設置などが例示される。
【０１３７】
遊技機１から１４のいずれかにおいて、前記遊技機はパチンコ機であることを特徴とする遊技機１５。中でも、パチンコ機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において変動表示されている識別情報が所定時間後に確定停止されるものが挙げられる。また、特別遊技状態の出力時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれる情報等も含む）が付与されるものが挙げられる。
【０１３８】
遊技機１から１４のいずれかにおいて、前記遊技機はパチンコ機とスロットマシンとを融合させたものであることを特徴とする遊技機１６。中でも、融合させた遊技機の基本構成としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより識別情報の変動が停止され、その停止時の確定識別情報が特定識別情報であることを必要条件として、遊技者に有利な特別遊技状態を出力させる特別遊技状態出力手段とを備え、遊技媒体として球を使用すると共に、前記識別情報の変動開始に際しては所定数の球を必要とし、特別遊技状態の出力に際しては多くの球が払い出されるように構成されている遊技機」となる。
【０１３９】
遊技機１から１４のいずれかにおいて、前記遊技機はスロットマシンであることを特徴とする遊技機１７。中でも、スロットマシンの基本構成としては、「複数の識別情報からなる識別情報列を変動表示した後に識別情報を確定表示する可変表示手段を備え、始動用操作手段（例えば操作レバー）の操作に起因して識別情報の変動表示が開始され、停止用操作手段（ストップボタン）の操作に起因して、或いは、所定時間経過することにより、識別情報の変動表示が停止され、その停止時の確定識別情報が特定識別情報であることを必要条件として、遊技者に有利な特別遊技状態を出力させる特別遊技状態出力手段とを備えた遊技機」となる。この場合、遊技媒体はコイン、メダル等が代表例として挙げられる。一般的なスロットマシンでは、その内部に遊技媒体を貯留するための貯留部が設けられており、該貯留部の上方に識別情報を変動表示するための回胴が設けられている。ここで、貯留部と回胴とを上下に配置して１の装置を形成すると、貯留部の前面に該貯留部を覆う装飾パネルが配設されることとなる。貯留部は、多量の遊技媒体を貯留し得るように大型化されており、故に、装飾パネルも大型のパネルが組み付けられる。従って、通常設けられる該装飾パネルを用いて、十分に貯留皿の上面を遮蔽することのできる遮蔽部材を容易に形成でき、装置の基本構成を大きく変更する必要がない上、低コストで遮蔽部材を設けることができる。
【図面の簡単な説明】
【０１４０】
【図１】一実施の形態におけるスロットマシンの正面図である。
【図２】スロットマシンの前面扉が開いた状態を示した斜視図である。
【図３】載置状態にある化粧パネルを示したスロットマシンの部分拡大図である。
【図４】側面視にて化粧パネルの開閉動作を示したスロットマシンの部分拡大図である。
【図５】化粧パネルとメダル受け皿との施錠機構を説明する図である。
【図６】第２の実施の形態において、化粧パネルとメダル受け皿との施錠機構を説明する図である。
【図７】第３の実施の形態において、化粧パネルとメダル受け皿との施解錠機構を説明する図である。
【符号の説明】
【０１４１】
１０，２００，３００        スロットマシン（遊技機）
２                          本体（本体の一部）
３                          前面扉（本体の一部）
３３                        メダル受け皿（貯留皿）
４０                        制御装置（制御手段）
４６                        払出装置（払出実行手段）
１０５，１０５ａ，１０５ｂ  支持金具（保持部材の一部）
１１０                      化粧パネル（遮蔽部材）
１１０ａ，６００            締結部（保持部材の一部）
３１０，４１０              施錠装置（保持部材の一部）
５０６                      施錠挿入口（保持部材の一部）
【図１】
2005237414.tif 000003
【図２】
2005237414.tif 000004
【図３】
2005237414.tif 000005
【図４】
2005237414.tif 000006
【図５】
2005237414.tif 000007
【図６】
2005237414.tif 000008
【図７】
2005237414.tif 000009